(57)【要約】【課題】省エネルギー化を図ることのできる技術を提供する。【解決手段】予め定められた所定の休止条件が成立、例えば所定時間、ユーザーによるフォトプリンターのボタン群に対する入力操作やフォトプリンターの印刷動作などが行われなければＣＰＵは休止状態に移行する（ステップＳ１）。そして、赤外線リモコンから送信される操作信号がリモコン信号受信部により受信されれば、ＣＰＵ通信部により起動信号が出力されて休止状態のＣＰＵが起動され、リモコン信号受信部により受信された操作信号に基づく処理がＣＰＵにより実行される（ステップＳ２〜Ｓ５）。したがって、予め定められた所定の休止条件が成立した後、ユーザーによるリモコン操作を待受けるときは、ＣＰＵが休止状態となることによりＣＰＵで消費される電力が抑制されるので、省エネルギー化を図ることができる。【選択図】図４
2010214778.tif 000002
【特許請求の範囲】
【請求項１】
ＣＰＵを有する制御手段を備える印刷装置において、
前記制御手段は、
リモコンから送信される操作信号を受信するリモコン信号受信手段と、
前記リモコン信号受信手段により受信した前記操作信号に応じて休止状態の前記ＣＰＵを起動させる起動信号を出力するＣＰＵ起動手段とを備え、
前記ＣＰＵは、
予め定められた所定の休止条件が成立すれば休止状態に移行し、
前記起動信号により休止状態から起動し起動状態になれば、前記リモコン信号受信手段により受信した前記操作信号に基づく処理を実行する
ことを特徴とする印刷装置。
【請求項２】
ＶＲＡＭとＬＣＤとをさらに備え、
前記制御手段は、
前記ＣＰＵが休止状態においては、前記ＶＲＡＭに格納された画像データに基づく画像を前記ＬＣＤに表示し、
前記ＣＰＵが起動状態において、前記操作信号に応じた処理を行う前記ＣＰＵを介して画像データが入力された場合には、入力された当該画像データに基づく画像を前記ＬＣＤに表示させるＬＣＤコントローラーをさらに備える請求項１に記載の印刷装置。
【請求項３】
前記リモコン信号受信手段と、前記ＣＰＵ起動手段と、前記ＬＣＤコントローラーとが集積回路として一体的に形成されている請求項２に記載の印刷装置。
【発明の詳細な説明】
【技術分野】
【０００１】
この発明は、ＣＰＵを有する制御手段を備える印刷装置に関し、より詳しくはリモコンにより操作可能に構成された印刷装置に関するものである。
【背景技術】
【０００２】
従来、接続されたホストコンピューターから印刷データを受信し、受信した印刷データに基づく印刷を行うのみならず、画像データを格納したメモリーカードやＵＳＢメモリーなどから直接画像データを読込み、読込んだ画像データに基づく印刷用のデータを自ら生成して印刷を行うスタンドアロンプリンターとして使用できる印刷装置が知られている（例えば特許文献１参照）。
【先行技術文献】
【特許文献】
【０００３】
【特許文献１】特開２００５−３０５８７０号公報（段落００２０、図１など）
【発明の概要】
【発明が解決しようとする課題】
【０００４】
ところで、近年、スタンドアロンプリンターとして使用できる印刷装置において、ユーザーがリモコンにより操作可能に構成されたものが知られている。このように、スタンドアロンプリンターとして使用される印刷装置をリモコンで遠隔操作可能に構成することで、ユーザーの利便性の向上を図っている。ところが、その一方で、ユーザーのリモコン操作によりリモコンから送信される操作信号が印刷装置に受信されるまで、印刷装置が備える制御手段のＣＰＵは起動状態で待機しており、起動状態で待機するＣＰＵで消費される電力が無駄であった。
【０００５】
この発明は、省エネルギー化を図ることのできる技術を提供することを目的とする。
【課題を解決するための手段】
【０００６】
この発明にかかる印刷装置は、上記目的を達成するため、ＣＰＵを有する制御手段を備える印刷装置において、前記制御手段は、リモコンから送信される操作信号を受信するリモコン信号受信手段と、前記リモコン信号受信手段により受信した前記操作信号に応じて休止状態の前記ＣＰＵを起動させる起動信号を出力するＣＰＵ起動手段とを備え、前記ＣＰＵは、予め定められた所定の休止条件が成立すれば休止状態に移行し、前記起動信号により休止状態から起動し起動状態になれば、前記リモコン信号受信手段により受信した前記操作信号に基づく処理を実行することを特徴としている。
【０００７】
このように構成された発明では、予め定められた所定の休止条件が成立、例えば所定時間、ユーザーによる印刷装置に対する入力操作や印刷動作などが行われなければＣＰＵは休止状態に移行する。そして、リモコンから送信される操作信号をリモコン信号受信手段により受信すれば、ＣＰＵ起動手段が起動信号を出力して休止状態のＣＰＵが起動され、リモコン信号受信手段により受信した操作信号に基づく処理がＣＰＵにより実行される。したがって、予め定められた所定の休止条件が成立した後、ユーザーのリモコン操作による操作信号をリモコン信号受信手段により受信するまで、すなわち、ユーザーによるリモコン操作を待受ける際には、ＣＰＵが休止状態となることによりＣＰＵで消費される電力が抑制されるので、省エネルギー化を図ることができる。
【０００８】
また、ＶＲＡＭとＬＣＤとをさらに備え、前記制御手段は、前記ＣＰＵが休止状態においては、前記ＶＲＡＭに格納された画像データに基づく画像を前記ＬＣＤに表示し、前記ＣＰＵが起動状態において、前記操作信号に応じた処理を行う前記ＣＰＵを介して画像データが入力された場合には、入力された当該画像データに基づく画像を前記ＬＣＤに表示させるＬＣＤコントローラーをさらに備えるようにしてもよい。
【０００９】
このように構成すると、ＣＰＵが休止状態においてはＶＲＡＭに格納された画像データに基づく画像をＬＣＤコントローラーによりＬＣＤに表示するため、例えば、ユーザーによるリモコン操作を待受ける際に、ＣＰＵは休止状態として消費電力を抑制しつつ、リモコン操作の待受け画像をＬＣＤに表示できるため実用的である。そして、ＣＰＵが起動状態においては、リモコンの操作信号に応じた処理を行うＣＰＵを介して画像データが入力された場合には、入力された当該画像データに基づく画像をＬＣＤコントローラーによりＬＣＤに表示させることができる。
【００１０】
また、前記リモコン信号受信手段と、前記ＣＰＵ起動手段と、前記ＬＣＤコントローラーとが集積回路として一体的に形成されているのが望ましい。
【００１１】
このように構成すれば、リモコン信号受信手段と、ＣＰＵ起動手段と、ＬＣＤコントローラーとが集積回路として一体的に形成されているため、一の前記集積回路のみに通電可能な回路を形成することで、ＣＰＵのみを休止状態とする回路を容易に実現できる。また、リモコン信号受信手段と、ＣＰＵ起動手段と、ＬＣＤコントローラーとを集積回路として一体的に形成することで、制御手段を構成する回路の配線の簡易化を図ることができる。
【図面の簡単な説明】
【００１２】
【図１】本発明の印刷装置の一実施形態であるフォトプリンターを示す斜視図。
【図２】フォトプリンターの要部拡大図。
【図３】コントローラーの構成の一例を示すブロック図。
【図４】リモコン信号待受処理を示すフローチャート。
【発明を実施するための形態】
【００１３】
図１は本発明の印刷装置の一実施形態であるフォトプリンター１０を示す斜視図である。また、図２はフォトプリンター１０の内部構成の概略を示す図である。このフォトプリンター１０では、プリンター本体１２の内部にはプリント機構５０（図２参照）が内蔵されており、フォトプリンター１０の全体の制御を司るコントローラー７０（図２参照）からの動作指令に応じて用紙Ｐへの印刷を実行する。そして、こうして印刷された用紙がプリンター本体１２の前面に排紙される。
【００１４】
このプリンター本体１２の前面には、図１に示すように、前面扉１４が開閉自在に取り付けられている。この前面扉１４はプリンター本体１２の前面を開閉するための蓋である。そして、開状態のときには、プリント機構５０から排紙される用紙Ｐを受けるための排紙トレイとして機能する。また、プリンター本体１２の前面に設けられた各種のメモリーカードスロット１６をユーザーが利用可能な状態となる。つまり、この状態でユーザーは印刷対象となる画像ファイルを記憶したメモリーカードＭをメモリーカードスロット１６に差し込むことができる。画像ファイルデータを記憶する外部記憶媒体としてはメモリーカードに限定されず、ＵＳＢメモリーやディスク媒体など他のものであってもよい。また、画像を記憶したデジタルカメラや携帯電話などの電子機器を本フォトプリンター１０にケーブルや赤外線を利用した通信によって接続し外部記憶媒体として機能させてもよい。
【００１５】
また、メモリーカードスロット１６の側方には、赤外線リモコン１８から送信される操作信号としての赤外線を受光して、受光した赤外線を操作信号として後述するリモコン信号受信部７７１に出力する受光センサー１７が設けられている（図３参照）。なお、受光センサー１７の近傍には、上記したように、デジタルカメラや携帯電話などの電子機器との赤外線を利用した通信を可能とする、例えばＩｒＤＡ規格の受光センサーが設けられている。
【００１６】
また、プリンター本体１２の上面には操作パネル２０が設けられる一方、プリンター本体１２の上面の奥の一辺に対してカバー３０が開閉自在に取り付けられている。このカバー３０は、プリンター本体１２の上面を覆うことのできる大きさに成形された樹脂板であり、開状態では操作パネル２０の表面を外部に露出する（図１参照）。一方、カバー３０が閉状態に閉じられると、操作パネル２０全体を覆う。
【００１７】
この操作パネル２０には、文字や図形、記号などを表示する例えばＬＣＤディスプレイにより構成された表示部２２と、この表示部２２の周囲に配置されたボタン群２４とを備えている。ボタン群２４は、図２に示すように、電源のオンオフを行うための電源ボタン２４ａ、メインメニュー画面を呼び出すためのメニューボタン２４ｂ、操作を途中でキャンセルしたり用紙Ｐへの印刷を途中で中断したりするためのキャンセルボタン２４ｃ、用紙Ｐへの印刷実行を指示するための印刷ボタン２４ｄ、メモリーカードスロット１６に挿入されたメモリーカードＭに編集画像などを保存するための保存ボタン２４ｅ、表示部２２に表示された複数の選択肢の中から所望の選択肢を選択したりカーソルを移動したりするときに操作される上下左右の各矢印ボタン２４ｆ〜２４ｉ、この上下左右の各矢印ボタン２４ｆ〜２４ｉの中央に配置され各矢印ボタン２４ｆ〜２４ｉによって選択されている選択肢に決定したことを指示するためのＯＫボタン２４ｊ、表示部２２での画面表示を切り替えるための表示切替ボタン２４ｋ、表示部２２に表示される左ガイドを選択する左ガイド選択ボタン２４ｌ、表示部２２に表示される右ガイドを選択する右ガイド選択ボタン２４ｍ、排紙トレイとしての機能を備えた前面扉１４を開く排紙トレイオープンボタン２４ｎなどで構成されている。
【００１８】
また、表示部２２の表示内容を確認するために、カバー３０には表示部２２と同じ大きさの窓３２が設けられている。つまり、カバー３０が閉状態にあるときにはユーザーはこの窓３２を介して表示部２２の表示内容を確認することができる。一方、カバー３０は開状態のときには、表示部２２を図１に示すように好みの角度に調整することが可能となっている。
【００１９】
このようにカバー３０を開状態としたときには、操作パネル２０に対して斜め後方に傾斜した状態でカバー３０は保持され、用紙Ｐをプリント機構５０へ供給するためのトレイとして利用可能となっている。また、操作パネル２０の奥には、プリント機構５０の給紙口５８が設けられるとともに、ガイド幅が用紙の幅に合うように左右方向にスライド操作される一対の用紙ガイド５９が設けられている。
【００２０】
そして、給紙口５８を介して用紙Ｐがプリント機構５０に送り込まれて印刷が実行される。このプリント機構５０には、図２に示すように、キャリッジ５３が左右方向にループ状に架け渡されたタイミングベルト５１により駆動されガイド５２に沿って左右に往復動する。このキャリッジ５３には、紙端検出センサ５７が設けられ、用紙Ｐの左右端や上下端を検出する。つまり、紙端検出センサ５７は、給紙口５８にセットされた用紙に対して印刷前にキャリッジ５３が左右方向に走査したときにその用紙の左右端を検出して用紙幅の認識を可能にしたり、印刷途中で用紙の後端を検出して用紙長さの認識を可能にしたりする。
【００２１】
また、このキャリッジ５３には、シアン・マゼンタ・イエロー・ブラックなどの各色のインクを個別に収容したインクカートリッジ５４が搭載されている。これらのインクカートリッジ５４はそれぞれ印刷ヘッド５５に接続されている。そして、印刷ヘッド５５はインクカートリッジ５４からのインクに圧力をかけてノズル（図示省略）から用紙Ｐに向かってインクを吐出する。この実施形態では、印刷ヘッド５５は圧電素子に電圧をかけることにより該圧電素子を変形させてインクを加圧する方式を採用しているが、発熱抵抗体（例えばヒーターなど）に電圧をかけインクを加熱して発生した気泡によりインクを加圧する方式を採用してもよい。こうして印刷された用紙Ｐは搬送ローラ５６によって開状態の前面扉（排紙トレイ）１４へ送り出される。
【００２２】
また、図示を省略しているものの、プリンター本体１２の背面にはバッテリーパックを装着可能となっており、商用電源に接続しなくとも本プリンター１０をバッテリーにより動作させることが可能となっている。この点および本プリンター１０がホストコンピューターに接続しなくても使用することができるスタンドアロンプリンターとなっている点により、本プリンター１０は持ち運び容易でどこでも使用できるようになっている。
【００２３】
図３はコントローラー７０の構成の一例を示すブロック図である。コントローラー（本発明の「制御手段」に相当）７０は、図３に示すように、ＣＰＵ７１を中心とするマイクロプロセッサーとして構成されており、各種処理プログラムや各種データ、各種プログラムや各種テーブルなどを記憶したＲＯＭ７２、一時的にデータを記憶するＲＡＭ７３、プリント機構５０やメモリーカードスロット１６などとの通信を可能とするインターフェース（Ｉ／Ｆ）７４、後述するＬＣＤコントローラー７６を介して表示部２２に表示される画像データを格納する書換自在のＶＲＡＭ７６６などを備えている。また、コントローラー７０は、メモリーカードＭに編集画像などを保存するほか、プリント機構５０の印刷ヘッド５５への制御信号や操作パネルの表示部２２への制御信号を出力する。
【００２４】
また、コントローラー７０には、インターフェース７４を通してメモリーカードＭなどの外部記憶媒体から与えられる画像データに対し必要な画像処理を行うための画像処理モジュール７５が設けられている。画像処理モジュール７５はまた、表示部２２に表示させるためのメニュー画面などのプリンター固有の画像に対応する画像データや、アイコンなど、表示部２２に表示されるベース画像の一部と置換されて挿入される部分画像に対応する部分書込データを生成する機能を有している。
【００２５】
画像処理モジュール７５から出力されるＲＧＢ画像データは、表示部２２を表示制御するためのＬＣＤコントローラー７６に与えられる。なお、以下では、ＬＣＤディスプレイにより構成される表示部２２の画素数はＷＶＧＡ（Wide Video Graphics Array）形式の８００ドット×４８０ドットであり、８００ドット分の画素データにより画像データの１ラインが構成されており、４８０ラインのラインデータにより一の画像が構成される。したがって、画像処理モジュール７５から、８００ドット×４８０ドットの大きさの表示部２２の一画面に相当する画像のＲＧＢ画像データなどがＬＣＤコントローラー７６に入力されることとなる。なお、各画素の画像データの色解像度は、各色８ビット、合計２４ビット（３バイト）のデータサイズで、フルカラー表示可能に構成される。
【００２６】
ＬＣＤコントローラー７６は、同期信号発生部７６９を備え、表示部２２への画像の表示タイミングを制御するための水平・垂直同期信号など、種々の同期信号を発生可能に構成されている。また、画像処理モジュール７５から入力されたシリアルデータをパラレルデータに変換して画像データを入力する入力データ変換部７６１と、入力データ変換部７６１によりパラレルデータに変換された画像データの１ライン分のデータを一時的に保持可能なバッファ７６２とを備えている。そして、入力データ変換部７６１により入力されてバッファ７６２に一時的に保持された画像データがＶＲＡＭ７６６に書込まれる。
【００２７】
また、ＬＣＤコントローラー７６は、表示部２２への画面表示の水平・垂直同期信号に同期してＶＲＡＭ７６６から画像データを周期的に読出して、読出した画像データを表示部２２へ出力するためのデータ変換を行い、表示部２２に出力する出力データ変換部７６８を備えている。したがって、ＶＲＡＭ７６６に格納された画像データは出力データ変換部７６８を介して表示部２２に出力されて表示される。なお、出力データ変換部７６８によりＶＲＡＭ７６６から読出された画像データはバッファ７６７に一時的に保持された後、表示部２２へ出力するためのデータ変換が行われた上で、表示部２２に出力されるように構成されている。
【００２８】
また、ＶＲＡＭ７６６には、少なくとも入力データ変換部７６１により入力された４８０ライン分（一の画像分）の画像データを格納可能な領域が設けられている。本実施形態では、ＶＲＡＭ７６６のメモリーアドレス０、１０，２０…，４７９０が示す格納領域に、各ライン０，１，２…，４７９の画像データがそれぞれ格納されるように構成されている。
【００２９】
また、ＬＣＤコントローラー７６は、入力データ変換部７６１からの画像データ書込要求信号と、出力データ変換部７６８からの画像データ読出要求信号とに応じて、ＶＲＡＭ７６６への画像データの書込みと、ＶＲＡＭ７６６からの画像データの読出しとを制御するＲＡＭ制御部７６５を備えている。
【００３０】
また、ＬＣＤコントローラー７６は、赤外線リモコン１８から赤外線により送信されて、受光センサー１７により受光されて操作信号として出力される操作信号を受信するリモコン信号受信部（本発明の「リモコン信号受信手段」に相当）７７１と、リモコン信号受信部７７１により受信された操作信号をＣＰＵ７１に対して出力するＣＰＵ通信部（本発明の「ＣＰＵ起動手段」に相当）７７０とを備えている。リモコン信号受信部７７１は操作信号を受信すれば、受信した操作信号をデコードすることにより、受信した操作信号が適正な操作信号であるかどうかを判定する。そして、リモコン信号受信部７７１は、受信した操作信号が適正なものであれば、受信した操作信号をＣＰＵ通信部７７０に出力する。ＣＰＵ通信部７７０は、リモコン信号受信部７７１から入力された操作信号をＣＰＵ７１に出力する。なお、ＣＰＵ通信部７７０は、後述するようにＣＰＵ７１が休止状態のときにリモコン信号受信部７７１から操作信号が入力されれば、入力された操作信号に応じて休止状態のＣＰＵ７１を起動する起動信号を出力する。
【００３１】
また、ＣＰＵ７１は、予め定められた所定の休止条件が成立、例えば所定時間、ユーザーによるフォトプリンター１０のボタン群２４の入力操作やフォトプリンター１０の印刷動作などが行われなければ休止状態に移行するように構成されている。そして、ＣＰＵ７１は、ＣＰＵ通信部７７０による起動信号により休止状態から起動し起動状態になれば、リモコン信号受信部７７１により受信されてＣＰＵ通信部７７０を介して入力された操作信号に基づく処理を実行する。なお、上記した休止条件としての所定時間は、例えば５分間に設定することができ、このように設定すれば、５分間、フォトプリンター１０において何らかの処理が行われなければＣＰＵ７１は休止状態に移行する。また所定時間としては５分間に限られるものではなく、装置構成やフォトプリンター１０の使用目的に応じて任意に設定することができる。
【００３２】
また、ＬＣＤコントローラー７６は、ＣＰＵ７１が休止状態のときはＶＲＡＭ７６６に格納された画像データに基づく画像を表示部２２に表示する。そして、ＬＣＤコントローラー７６は、ＣＰＵ７１が起動状態のときは、リモコン信号受信部７７１により受信された操作信号に応じた処理を行うＣＰＵ７１を介して画像処理モジュール７５から画像データが入力されれば、入力された画像データに基づく画像を表示部２２に表示するように構成されている。
【００３３】
なお、ＬＣＤコントローラー７６は集積回路（ＡＳＩＣ）として、リモコン信号受信部７７１およびＣＰＵ通信部７７０と共に一体的に構成されている。また、ＬＣＤコントローラー７６は、それぞれメモリーなどにより構成された、書込ラインカウンタ（図示省略）と、読出ラインカウンタ（図示省略）と、書込画素カウンタ（図示省略）と、読出画素カウンタ（図示省略）とを備えている。この読出画素カウンタの値は、ＶＲＡＭ７６６からの１画素分の画像データの読出しタイミングを規定するために同期信号発生部７６９が発生するクロックに基づいて加算される。また、書込画素カウンタの値は、ＶＲＡＭ７６６からの１画素分の画像データの書込みタイミングを規定するために同期信号発生部７６９が発生するクロックに基づいて加算される。また、読出画素カウンタは水平同期信号の出力時に”０”にリセットされ、同期信号発生部７６９が発生する１画素分の画像データの読出しタイミングを規定するクロックの度に加算されるように構成されている。したがって、水平同期信号が出力されるともに読出画素カウンタの”０”からの加算が開始される。次に、図４を参照してリモコン信号待受処理の一例について説明する。
【００３４】
図４はリモコン信号待受処理を示すフローチャートである。図４に示すリモコン信号待受処理は、上記した、予め定められた所定の休止条件が成立したときに実行される処理である。図４に示すように、予め定められた所定の休止条件が成立すれば、ＣＰＵ７１は休止状態に移行し、フォトプリンター１０は、ユーザーの赤外線リモコン１８の操作により出力される操作信号（リモコン信号）の待受状態となる（ステップＳ１）。そして、赤外線リモコン１８から出力された操作信号が受光センサー１７を介してリモコン信号受信部７７１により受信されるまで待機する（ステップＳ２においてＮＯ）。
【００３５】
リモコン信号受信部７７１により操作信号が受信され、ステップＳ２においてＹＥＳと判定されれば、リモコン信号受信部７７１により受信された操作信号がデコードされる（ステップＳ３）。そして、ステップＳ４において、リモコン信号受信部７７１においてデコードされた操作信号が、適正な操作信号であるかどうかが判定されて、ＮＯと判定されればステップＳ２からの処理を再び実行する。一方、ステップＳ４においてＹＥＳと判定されれば、リモコン信号受信部７７１は受信した操作信号をＣＰＵ通信部７７０に出力する。そして、ＣＰＵ通信部７７０は、リモコン信号受信部７７１から入力された操作信号に応じてＣＰＵ７１を起動する起動信号をＣＰＵ７１に出力して処理を終了する（ステップＳ５）。
【００３６】
以上のように、この実施形態では、予め定められた所定の休止条件が成立、例えば所定時間、ユーザーによるフォトプリンター１０のボタン群２４に対する入力操作やフォトプリンター１０の印刷動作などが行われなければＣＰＵ７１は休止状態に移行する。そして、赤外線リモコン１８から送信される操作信号がリモコン信号受信部７７１により受信されれば、ＣＰＵ通信部７７０により起動信号が出力されて休止状態のＣＰＵ７１が起動され、リモコン信号受信部７７１により受信された操作信号に基づく処理がＣＰＵ７１により実行される。したがって、予め定められた所定の休止条件が成立した後、ユーザーのリモコン操作による操作信号がリモコン信号受信部７７１により受信されるまで、すなわち、ユーザーによるリモコン操作を待受けるときは、ＣＰＵ７１が休止状態となることによりＣＰＵ７１で消費される電力が抑制されるので、省エネルギー化を図ることができる。
【００３７】
また、ＣＰＵ７１が休止状態のときはＶＲＡＭ７６６に格納された画像データに基づく画像がＬＣＤコントローラー７６により表示部２２に表示されるため、例えば、ユーザーによるリモコン操作を待受けるときに、ＣＰＵ７１は休止状態として消費電力を抑制しつつ、リモコン操作の待受け画像を表示部２２に表示できるため実用的である。そして、ＣＰＵ７１が起動状態のときは、赤外線リモコン１８の操作信号に応じた処理を行うＣＰＵ７１を介して画像データがＬＣＤコントローラー７６に入力されれば、入力された当該画像データに基づく画像をＬＣＤコントローラー７６により表示部２２に表示することができる。
【００３８】
また、リモコン信号受信部７７１およびＣＰＵ通信部７７０が、ＬＣＤコントローラー７６と一体的に集積回路（ＡＳＩＣ）として形成されているため、この一体的に形成された集積回路のみに通電可能な回路を形成することで、ＣＰＵ７１のみを休止状態とする回路を容易に実現できる。また、リモコン信号受信部７７１およびＣＰＵ通信部７７０を、ＬＣＤコントローラー７６と一体的に集積回路（ＡＳＩＣ）として形成することで、コントローラー７０を構成する回路の配線の簡易化を図ることができる。
【００３９】
なお、本発明は上記した実施形態に限定されるものではなく、その趣旨を逸脱しない限りにおいて上述したもの以外に種々の変更を行うことが可能である。例えば、上記した実施形態では、赤外線リモコン１８を例に挙げて説明したが、リモコンとしてはこれに限られず、無線方式のリモコンなど、種々のリモコンを採用することができる。このような構成としても、上記した効果と同様の効果を奏することができる。また、ＣＰＵ７１を休止状態とするための休止条件としては上記した条件に限られず、印刷装置の使用態様に応じて、種々の休止条件を設定することができる。
【００４０】
また、上記実施形態では、インクカートリッジ方式のフォトプリンター１０を例として説明したが、その他のインクジェット式プリンター、レーザープリンターなどの印刷装置にも本発明を適用してもよい。すなわち、リモコンにより遠隔操作可能に構成された種々の印刷装置において本発明を適用することができる。
【符号の説明】
【００４１】
１０…フォトプリンター（印刷装置）、１８…赤外線リモコン、２２…表示部（ＬＣＤ）、７０…コントローラー（制御手段）、７１…ＣＰＵ、７６…ＬＣＤコントローラー、７７０…ＣＰＵ通信部（ＣＰＵ起動手段）、７７１…リモコン信号受信部（リモコン信号受信手段）、７６６…ＶＲＡＭ
【図１】
2010214778.tif 000003
【図２】
2010214778.tif 000004
【図３】
2010214778.tif 000005
【図４】
2010214778.tif 000006